(57)【要約】【課題】集塵された塵埃内のダニを、手間やコストを掛けずに死滅させることができる電気掃除機を提供する。【解決手段】塵埃を吸引する風を発生させる電動送風機２０と、塵埃を蓄積する集塵室１０と、通路１１を介して前記集塵室１０と連通する減圧室１２と、前記減圧室１２の空気を吸引するポンプ１５と、前記通路１１を遮断する開閉可能な遮断弁１４とを有し、掃除作業終了後に前記遮断弁１４を閉じると共に前記ポンプ１５を動作させるもので、特別な手間や薬品を購入すること無く、減圧室１２内の酸素量を減らしてダニを死滅させることが出来るもので、使い勝手がよく且つ経済的な優れた電気掃除機を提供することができる。【選択図】図２
2011019862.tif 000002
【特許請求の範囲】
【請求項１】
塵埃を吸引する風を発生させる電動送風機と、塵埃を蓄積する集塵室と、通路を介して前記集塵室と連通する減圧室と、前記減圧室の空気を吸引するポンプと、前記通路を遮断する開閉可能な遮断弁とを有し、掃除作業終了後に前記遮断弁を閉じると共に前記ポンプを動作させることを特徴とした電気掃除機。
【請求項２】
減圧室とポンプとの間の空気経路内に酸素富化膜を配置したことを特徴とした請求項１に記載の電気掃除機。
【請求項３】
減圧室近傍に加熱装置を配置したことを特徴とした請求項１または２に記載の電気掃除機。
【請求項４】
減圧室内を除湿する除湿装置を配置したことを特徴とした請求項１〜３いずれか１項に記載の電気掃除機。
【請求項５】
減圧室近傍に紫外線照射装置を配置したことを特徴とした請求項１〜４いずれか１項に記載の電気掃除機。
【請求項６】
減圧室内に殺菌剤を散布する殺菌剤散布装置を配置したことを特徴とした請求項１〜５のいずれか１項に記載の電気掃除機。
【発明の詳細な説明】
【技術分野】
【０００１】
本発明は、一般家庭で使用される電気掃除機に関するものである。
【背景技術】
【０００２】
従来のこの種の電気掃除機は、電気掃除機の非使用時に集塵室内の除湿材で、集塵室内を乾燥させてダニを死滅させるように構成されていた（例えば、特許文献１参照）。
【先行技術文献】
【特許文献】
【０００３】
【特許文献１】特開平４−３１２４２４号公報
【発明の概要】
【発明が解決しようとする課題】
【０００４】
しかしながら上記従来の電気掃除機の構成では、ダニを死滅させる為に除湿材を準備する必要があり、機能の維持のために使用者の手間と、除湿材の購入が必要であり、経済的ではない、といった課題があった。
【０００５】
本発明は、上記従来の課題を解決するもので、使用者に手間や経済的負担を強いることなく、ダニを死滅させることが出来る電気掃除機を提供することを目的とする。
【課題を解決するための手段】
【０００６】
上記従来の課題を解決するために本発明は、塵埃を吸引する風を発生させる電動送風機と、塵埃を蓄積する集塵室と、通路を介して前記集塵室と連通する減圧室と、前記減圧室の空気を吸引するポンプと、前記通路を遮断する開閉可能な遮断弁とを有し、掃除作業終了後に前記遮断弁を閉じると共に前記ポンプを動作させるもので、特別な手間や薬品を購入すること無く、減圧室内の酸素量を減らしてダニを死滅させることが出来るもので、使い勝手がよく且つ経済的な優れた電気掃除機を提供することができる。
【発明の効果】
【０００７】
本発明の電気掃除機は、集塵された塵埃の近傍を減圧することにより、内部の塵埃に含まれるダニを死滅させ、清潔性の高いものである。
【図面の簡単な説明】
【０００８】
【図１】本発明の実施の形態１における電気掃除機の外観図
【図２】同電気掃除機の本体内部断面図
【図３】同電気掃除機の集塵室、減圧室近傍の内部断面図
【図４】同電気掃除機の集塵室、減圧室近傍の内部断面図
【図５】本発明の実施の形態２における電気掃除機の集塵室、減圧室近傍の内部断面図
【図６】本発明の実施の形態３における電気掃除機の集塵室、減圧室近傍の内部断面図
【図７】本発明の実施の形態４における電気掃除機の集塵室、減圧室近傍の内部断面図
【図８】本発明の実施の形態５における電気掃除機の集塵室、減圧室近傍の内部断面図
【図９】本発明の実施の形態６における電気掃除機の集塵室、減圧室近傍の内部断面図
【発明を実施するための形態】
【０００９】
第１の発明は、塵埃を吸引する風を発生させる電動送風機と、塵埃を蓄積する集塵室と、通路を介して前記集塵室と連通する減圧室と、前記減圧室の空気を吸引するポンプと、前記通路を遮断する開閉可能な遮断弁とを有し、掃除作業終了後に前記遮断弁を閉じると共に前記ポンプを動作させるもので、特別な手間や薬品を購入すること無く、減圧室内の酸素量を減らしてダニを死滅させることが出来るもので、使い勝手がよく且つ経済的な優れた電気掃除機を提供することができる。
【００１０】
第２の発明は、特に、第１の発明の減圧室とポンプとの間の空気経路内に酸素富化膜を配置したもので、酸素富化膜によって効率よく減圧室内部の酸素を除去できるので、ポンプの能力を低いもので代替でき、より経済的で使い勝手のいい電気掃除機を提供できるものである。
【００１１】
第３の発明は、特に、第１又は２の発明の減圧室近傍に加熱装置を配置したもので、減圧した減圧室を加熱することによってダニ以外の熱に弱い菌、ウイルス類も死滅させることが出来るもので、より清潔性の高い電気掃除機を提供できるものである。
【００１２】
第４の発明は、特に、第１〜３のいずれか一つの発明の減圧室内を除湿する除湿装置を配置したもので、減圧した減圧室を除湿することによってダニ以外の乾燥に弱い菌、ウイルス類も死滅させることが出来、より清潔性の高い電気掃除機を提供できるものである。
【００１３】
第５の発明は、特に、第１〜４のいずれか一つの発明の減圧室近傍に紫外線照射装置を配置したもので、減圧した減圧室に紫外線を照射することによってダニ以外の紫外線に弱い菌、ウイルス類も死滅させることが出来、より清潔性の高い電気掃除機を提供できるものである。
【００１４】
第６の発明は、特に、第１〜５のいずれか一つの発明の減圧室内に殺菌剤を散布する殺菌剤散布装置を配置したもので、減圧した減圧室に殺菌剤を散布することによってダニ以外の菌、ウイルス類も死滅させることが出来、より清潔性の高い電気掃除機を提供できるものである。
【００１５】
以下、本発明の実施の形態について、図面を参照しながら説明する。なお、この実施の形態によりこの発明が限定されるものではない。
【００１６】
（実施の形態１）
本発明の実施の形態１における電気掃除機について、図１〜４を用いて説明する。図１は、本実施の形態における電気掃除機の外観図、図２は、同電気掃除機の本体内部断面図である。
【００１７】
図１、２において、本実施の形態における電気掃除機１の本体２に、ホース３の一端が着脱自在に接続されている。ホース３の他端には、操作部４を形成する先端パイプ５が備えられている。先端パイプ５には、延長管６と、その延長管６には吸込具７が接続される。
【００１８】
図２において本体２には、ホース３に連通した部分から本体２の奥に向かって底が下がっていく形状の集塵室１０が形成され、集塵室１０の後部の底部には、通路１１を通じて集塵室１０と連通する減圧室１２が配置され、減圧室１２の壁部には、減圧室１２の気圧を測定する気圧計１３が配置されている。また、通路１１の中間部には、集塵室１０と通路１１とを遮断する開閉可能な遮断弁１４が配置されている。
【００１９】
さらに減圧室１２には、減圧室１２の空気を抜いて気圧を減圧させるポンプ１５が連結管１６を介して接続されており、連結管１６の減圧室１２側の端は減圧室１２の上部に接続されている。また、減圧室１２と連結管１６との間には、塵埃のポンプ１５への侵入を防止する減圧室フィルター１７が配置されている。
【００２０】
また集塵室１０の後方には、吸込み具７を通して塵埃を吸引する吸引風を発生させる電動送風機２０が内蔵され、集塵室１０と電動送風機２０との間には、集塵室１０の塵埃が電動送風機２０に進入しないようにするための集塵室フィルター２１が配置されている。
【００２１】
本体２内には、制御基板２２と、排気口２３及び電源コード２４も備えられている。前記制御基板２２は、操作部４、ポンプ１５、電動送風機２０及び電源コード２４と電気的に接続されており、制御基板２２内部には、マイコン２５が配置されており、気圧計１３の気圧値の判断基準である気圧判断閾値２６を有している。
【００２２】
本実施の形態では、気圧判断閾値２６を、一般的にダニが死亡する酸素濃度０．３％レベルまで酸素の絶対量を下げるために、１／７０気圧としている。
【００２３】
以上のように構成された本実施の形態における電気掃除機において図３及び４を用いてその動作を説明する。
【００２４】
図３及び４は、集塵室１０、減圧室１２近傍の内部断面図である。使用者が操作部４を操作することによって、遮断弁１４が開くと同時に、電動送風機２０が動作し、床面の塵埃を吸込み具７から吸引することで部屋の掃除が可能となる。
【００２５】
このとき遮断弁１４は開いているため、集塵室１０内に吸引された塵埃は、集塵室フィルター２１にあたって集塵室１０の底面に落下し、集塵室１０の底部形状が本体２後方に向かって傾いている為、集塵室１０後方底部にある通路１１を通って減圧室１２に落下する。
【００２６】
そして、使用者が操作部４を操作して電動送風機２０を停止させると、遮断弁１４が閉じると同時にポンプ１５が減圧室１２の空気を吸込み、減圧室１２内部の気圧を下げる。
【００２７】
その後、気圧計１３の検知した減圧室１２内の気圧が気圧判断閾値２６を下回ったときに、制御基板２２はポンプ１５の動作を停止させる。
【００２８】
上記動作によって、本体２に吸引された塵埃は、１／７０気圧の低酸素状態にさらされることになる。一般的に、ダニは１／７０気圧以下の状態では生存が不可能であり、１／７０気圧の状態に塵埃を保つことで、吸引したダニを死滅させるために特別な手間や薬品の購入なしで行なうことが可能となり、使い勝手がよく且つ経済的な優れた電気掃除機を提供することが可能となる。
【００２９】
（実施の形態２）
図５は、本発明の第２の実施の形態における電気掃除機の集塵室、減圧室近傍の内部断面図である。なお、上記実施の形態１における電気掃除機と同一部分については同一符号を付してその説明を省略する。本実施の形態は、連結管１６内部に、膜を通すことで酸素濃度を増減させることが出来る酸素富化膜３１を減圧室１２側の酸素濃度が低くなるように配置したもので、その他の構成は、上記第１の実施の形態における電気掃除機と同一である。
【００３０】
本実施の形態における電気掃除機は、以上のように構成されているので、酸素富化膜３１によって効率よく減圧室１２内部の酸素を除去できるようになり、ポンプ１５の能力を低いもので代替できるため、より経済的で使い勝手のいい電気掃除機を提供できるものである。
【００３１】
（実施の形態３）
図６は、本発明の第３の実施の形態における電気掃除機の集塵室、減圧室近傍の内部断面図である。なお、上記実施の形態における電気掃除機と同一部分については同一符号を付してその説明を省略する。本実施の形態は、図６に示すように、減圧室１２の下部に加熱装置４１を配置したもので、減圧室１２の減圧後に加熱装置４１を動作させ、減圧室１２内部を加熱することにより、ダニ以外の熱に弱い菌、ウイルス類も死滅させることが出来、より清潔性の高い電気掃除機を提供できるものである。
【００３２】
（実施の形態４）
図７は、本発明の第４の実施の形態における電気掃除機の集塵室、減圧室近傍の内部断面図である。なお、上記実施の形態における電気掃除機と同一部分については同一符号を付してその説明を省略する。本実施の形態は、図７に示すように、減圧室１２の本体２の後方側に除湿装置５１を配置したもので、他の構成は、上記第１の実施の形態における電気掃除機と同一である。
【００３３】
本実施の形態における電気掃除機は、以上のように構成されているので、減圧室１２の減圧後に除湿装置５１を動作させ、減圧室１２内部を除湿することにより、ダニ以外の乾燥に弱い菌、ウイルス類も死滅させることが出来、より清潔性の高い電気掃除機を提供できるものである。
【００３４】
（実施の形態５）
図８は、本発明の第５の実施の形態における電気掃除機の集塵室、減圧室近傍の内部断面図である。なお、上記実施の形態における電気掃除機と同一部分については同一符号を付してその説明を省略する。本実施の形態は、図８に示すように、減圧室１２の本体２の後方側に紫外線照射装置６１を配置したもので、他の構成は、上記第１の実施の形態における電気掃除機と同一である。
【００３５】
本実施の形態における電気掃除機は、以上のように構成されているので、減圧室１２の減圧後に紫外線照射装置６１を動作させ、減圧室１２内部に紫外線を照射することによりダニ以外の紫外線に弱い菌、ウイルス類も死滅させることが出来、より清潔性の高い電気掃除機を提供できるものである。
【００３６】
（実施の形態６）
図９は、本発明の第６の実施の形態における電気掃除機の集塵室、減圧室近傍の内部断面図である。なお、上記実施の形態における電気掃除機と同一部分については同一符号を付してその説明を省略する。本実施の形態は、図９に示すように、減圧室１２の本体２の後方側に殺菌剤散布装置７１を配置したもので、他の構成は、上記第１の実施の形態における電気掃除機と同一である。
【００３７】
本実施の形態における電気掃除機は、以上のように構成されているので、減圧室１２の減圧後に殺菌剤散布装置７１を動作させ、減圧室１２内部に殺菌剤を散布することによりダニ以外の菌、ウイルス類も死滅させることが出来、より清潔性の高い電気掃除機を提供できるものである。
【産業上の利用可能性】
【００３８】
以上のように、本発明にかかる電気掃除機は、減圧室内の気圧を下げることによって特別な手間やコストをかけることなく、塵埃中のダニを死滅させ、清潔性の高い電気掃除機を使用者に提供でき、ダニを死滅させる機能を有する電気掃除機全てに特に有用である。
【符号の説明】
【００３９】
１  電気掃除機
２  本体
１０  集塵室
１１  通路
１２  減圧室
１３  気圧計
１４  遮断弁
１５  ポンプ
２０  電動送風機
２２  制御基板
３１  酸素富化膜
４１  加熱装置
５１  除湿装置
６１  紫外線照射装置
７１  殺菌剤散布装置
【図１】
2011019862.tif 000003
【図２】
2011019862.tif 000004
【図３】
2011019862.tif 000005
【図４】
2011019862.tif 000006
【図５】
2011019862.tif 000007
【図６】
2011019862.tif 000008
【図７】
2011019862.tif 000009
【図８】
2011019862.tif 000010
【図９】
2011019862.tif 000011